(57)【特許請求の範囲】
【請求項１】
土壌受面をなすように表面に透水フィルターを備えた保水ベースを敷設し該保水ベース上に土壌を配置して植栽を可能とした花壇外周の縁石をなすように幅方向に連続的に設置使用する花壇外周縁部を画するエッジ材であって，上記保水ベースから張出突設した透水フィルターの先端を背面上端又はその近傍に固定する正面パネルと，該正面パネルから保水ベースに至るように突出して該保水ベースを載置して正面パネルを起立保持するようにした底パネルとを備えて断面略Ｌ字状に形成するとともに該底パネルの奥行方向中間に上記保水ベースの外周側端部を正面パネルから離隔配置する位置決め用ストッパーを設置して該正面パネルの背面とこれに固定した上記透水フィルターとの間に断熱用空間を形成してなることを特徴とする花壇外周縁部区画用エッジ材。
【請求項２】
上記正面パネルの背面上端に突起部を配置し，該突起部の先端乃至その近傍に上記透水フィルターの先端をフィルター固定金具を用いてスナップイン又はネジによって挟持固定することを特徴とする請求項１に記載の花壇外周縁部区画用エッジ材。
【請求項３】
上記正面パネルと底パネルを別体とし，正面パネルの下端に底パネルを固定することにより上記断面略Ｌ字状としてなることを特徴とする請求項１又は２に記載の花壇外周縁部区画用エッジ材。
【請求項４】
上記正面パネルを，セメント材系，窯業材系の厚肉成形材，これらの間に中間材を介設した厚肉ブロック材，金属材系の薄肉成形材等の異厚複数種を備えてその選択使用するとともに底パネルを先端に固定片を備えた単一種とし，上記正面パネルの下端への底パネルの固定を上記固定片を介したネジによって共通になし得るようにしてなることを特徴とする請求項３に記載の花壇外周縁部区画用エッジ材。
【請求項５】
手曲げ可能又はフレキシブルな材料による帯材の長手方向一端にネジ透孔を，他端に長手方向に沿ってネジをスライドする長孔を設置した正面パネル連結用の連結部材を追加的に備え，正面パネルの面一連結及び折曲連結の双方を自在としてなることを特徴とする請求項１，２，３又は４に記載の花壇外周縁部区画用エッジ材の連結部材。
【発明の詳細な説明】
【０００１】
【発明の属する技術分野】
本発明は花壇の外周縁部の縁石をなすように用いる花壇外周縁部区画用エッジ材及びその連結部材に関する。
【０００２】
【従来の技術及び発明が解決しようとする課題】
例えば中低層ビル等の建物の屋上やベランダ，カーポート等の構築物の屋上等に花壇を設置する場合，例えば土壌受面をなすように表面に透水フィルターを備えた保水ベースを敷設して保水ベース上に土壌を配置して植栽を可能とするものとされるが，この場合を含めて花壇には，公園，庭等におけると同様に例えば天然石による縁石を幅方向連続的に設置してその外周縁部を画するものとされている。
【０００３】
しかし天然石による縁石を設置した場合，縁石が移動し易いために，花壇の外周縁部が崩れて外観を損なったりすることが多く，これを防止しようとすると，コンクリートで天然石を固定し，また土壌の擁壁をなすようにコンクリートで一連の壁面をなすように縁石を形成することが必要になり，上記保水ベースを用いることによって，比較的簡易且つスピーディに花壇を形成し得るにも拘らず，作業が煩雑化する傾向を招くことになる。
【０００４】
本発明は係る事情に鑑みてなされたもので，その解決課題とするところは，上記保水ベースを用いて形成した花壇に縁石をなすように設置して，花壇の外周縁部を簡易且つ確実に区画するとともにその設置の作業を可及的に簡易になし得るようにした花壇外周縁部区画用エッジ材を提供し，また該エッジ材の幅方向の連結を花壇の外周形状に合わせて自在になし得るようにした該エッジ材の連結部材を提供するにある。
【０００５】
【課題を解決するための手段】
上記課題に添って本発明は，花壇外周縁部を区画して，外周縁部の化粧をなす正面パネルと，該正面パネルと断面略Ｌ字状をなすように配置した底パネルとによって縁石をなすように用いるエッジ材を形成して，正面パネルによって上記保水ベースに張出突設した透水フィルターの先端を固定して，正面パネル側において透水フィルターによる土壌充填の立上り壁乃至擁壁をなすようにして保水ベースの敷設時にその設置をなし得るようにするとともに底パネルにより上記保水ベースを載置することによって，該保水ベースの重量，即ちその上の土壌の重量によってエッジ材の固定保持と正面パネルの起立保持を行うようにして，その設置作業を簡易化するとともに花壇の外周縁部区画を簡易且つ確実になし得るものとする一方，上記底パネルに保水ベースの位置決め用ストッパーを設置し，該保水ベースを上記正面パネルから簡易且つ確実に離隔配置し得るようにし，該保水ベースの離隔配置によって正面パネルの背面とこれに固定した上記透水フィルター間に断熱用の空間を形成して，直射日光を浴びる場所に形成された花壇において，そのエッジ材の加熱によって土壌温度が上昇して，植栽した植物に悪影響を及ぼすのを可及的に防止し得るようにしたものであって，即ち請求項１に記載の発明を，土壌受面をなすように表面に透水フィルターを備えた保水ベースを敷設し該保水ベース上に土壌を配置して植栽を可能とした花壇外周の縁石をなすように幅方向に連続的に設置使用する花壇外周縁部を画するエッジ材であって，上記保水ベースから張出突設した透水フィルターの先端を背面上端又はその近傍に固定する正面パネルと，該正面パネルから保水ベースに至るように突出して該保水ベースを載置して正面パネルを起立保持するようにした底パネルとを備えて断面略Ｌ字状に形成するとともに該底パネルの奥行方向中間に上記保水ベースの外周側端部を正面パネルから離隔配置する位置決め用ストッパーを設置して該正面パネルの背面とこれに固定した上記透水フィルターとの間に断熱用空間を形成してなることを特徴とする花壇外周縁部区画用エッジ材としたものである。
【０００６】
請求項２に記載の発明は，上記に加えて，上記透水フィルター先端の正面パネルへの固定を簡易且つ確実に行ない得るものとするように，これを，上記正面パネルの背面上端に突起部を配置し，該突起部の先端乃至その近傍に上記透水フィルターの先端をフィルター固定金具を用いてスナップイン又はネジによって挟持固定することを特徴とする請求項１に記載の花壇外周縁部区画用エッジ材としたものである。
【０００７】
請求項３に記載の発明は，同じく上記に加えて，花壇形成現場への搬入をコンパクトになし得て，設置に際して上記断面略Ｌ字状のエッジ材を形成し得るものとするように，これを，上記正面パネルと底パネルを別体とし，正面パネルの下端に底パネルを固定することにより上記断面略Ｌ字状としてなることを特徴とする請求項１又は２に記載の花壇外周縁部区画用エッジ材としたものである。
【０００８】
請求項４に記載の発明は，同じく上記に加えて，上記花壇の化粧を行なう正面パネルを顧客の要望に応じて複数種から選択可能とし乍ら，底パネルを単一種として上記断面略Ｌ字状のエッジ材を共通に形成し得るものとするように，これを，上記正面パネルを，セメント材系，窯業材系の厚肉成形材，これらの間に中間材を介設した厚肉ブロック材，金属材系の薄肉成形材等の異厚複数種を備えてその選択使用するとともに底パネルを先端に固定片を備えた単一種とし，上記正面パネルの下端への底パネルの固定を上記固定片を介したネジによって共通になし得るようにしてなることを特徴とする請求項３に記載の花壇外周縁部区画用エッジ材としたものである。
【０００９】
請求項５に記載の発明は，上記連結部材提供の課題に添って，花壇の外周縁部の直線，湾曲，屈曲等各種形状に応じてこれらエッジ材の幅方向の連結をなし得るものとするように，これを，手曲げ可能又はフレキシブルな材料による帯材の長手方向一端にネジ透孔を，他端に長手方向に沿ってネジをスライドする長孔を設置した正面パネル連結用の連結部材を追加的に備え，正面パネルの面一連結及び折曲連結の双方を自在としてなることを特徴とする請求項１，２，３又は４に記載の花壇外周縁部区画用エッジ材の連結部材としたものである。
【００１０】
本発明はこれらをそれぞれ発明の要旨として上記課題解決の手段としたものである。
【００１１】
【発明の実施の形態】
以下図面の例に従って本発明を更に具体的に説明すれば，図１乃至図６において，Ａは花壇であり，該花壇Ａは，土壌受面をなすように表面に透水フィルター１５を備えた保水ベース１を敷設し該保水ベース１上に土壌７を配置して植栽を可能とした，例えば中低層ビル等建物の屋上に形成した屋上庭園をなすものとしてあり，本例の保水ベース１は，例えば図示省略の防水シートを介して屋上スラブ上に敷設し又は防水措置を施した屋上スラブのコンクリート面に敷設するようにしてある。
【００１２】
本例において上記保水ベース１は，例えば塩化ビニールを射出成形して，複数乃至多数の受孔をなすようにした凹陥部１３を，該凹陥部１３周縁の表面リブ１２を介して桝目状に配置するとともに上記表面リブ１２にオーバーフロー用の透孔（図示省略）を所定間隔に透設した合成樹脂製の成形パネル１１と，該成形パネル１１の上記各凹陥部１３に充填した，例えばパーライト等の発泡粒による保水材１４と，上記表面リブ１２に，例えば高周波溶着，接着剤による接着等適宜の固定手段によって一体に配置した表面の，例えば不織布等透水性を有する材料による上記透水フィルター１５を備えたものとし，散水や雨水による水の供給によって，凹陥部１３とその保水材１４が保水を行い，土壌７の乾燥を防止するとともに余剰水を透孔から外部に排出して，花壇Ａを植栽に適した環境に維持可能のものとしてあり，このとき上記花壇Ａの外周に配置する保水ベース１における上記透水フィルター１５にあっては，その面積を上記成形パネル１１より広くし，保水ベース１の表面とともに該保水ベース１から，その花壇Ａの外周側に大きく張出突設して一連に配置したものとしてある。
【００１３】
２は，該花壇Ａにおいて，その外周の縁石をなすように幅方向に連続的に設置使用する花壇外周縁部を画する，本例にあって奥行方向に段状に形成した花壇Ａの各段部においてその外周縁部を画するようにしたエッジ材であり，該エッジ材２は，これを，上記保水ベース１から張出突設した透水フィルター１５の先端を背面上端又はその近傍に固定する正面パネル２１と，該正面パネル２１から保水ベース１に至るように突出して該保水ベース１を載置して正面パネル２１を起立保持するようにした底パネル２４とを備えて断面略Ｌ字状に形成するとともに該底パネル２４の奥行方向中間に上記保水ベース１の外周側端部を正面パネル２１から離隔配置する位置決め用ストッパー２６を設置して該正面パネル２１の背面とこれに固定した上記透水フィルター１５との間に断熱用空間６を形成したものとしてある。
【００１４】
このとき本例のエッジ材２は，上記正面パネル２１と底パネル２４を別体とし，正面パネル２１の下端に底パネル２４を固定することにより上記断面略Ｌ字状としたものとし，上記正面パネル２１を，セメント材系，窯業材系の厚肉成形材，これらの間に中間材を介設した厚肉ブロック材，金属材系の薄肉成形材等の異厚複数種を備えてその選択使用を自在としたものとしてあり，本例にあって該正面パネル２１は，これを上記セメント材による厚肉成形材及び金属材として，例えばアルミ押出材による薄肉成形材の２種による異厚複数種を備えたものとし，これらを適宜に選択してエッジ材２とし得るようにしてある。
【００１５】
本例にあって，図３に示す上記厚肉成形材の正面パネル２１は，例えば１ｃｍ程度の厚さにして，端部を背面側に突出して外周を囲繞するように突起部２２を形成し，背面側に皿状の凹陥部を形成し，該空凹陥部を上記正面パネル２１と透水フィルター１５の空隙６とし得るようにセメントを流し込み成形し，必要に応じて表面に着色乃至模様等の化粧措置を施した断面略コ字状乃至Ｃ字状にして正面矩形乃至方形のものとし，図４に示す薄肉成形材の正面パネル２１は，１．５乃至２ｍｍ程度の厚さにして，上下端部に背面側に突出した，例えば上端においてほぼＬ字状，下端において更に先端を折り返したし字状の突起部２２を形成し，本例において上記正面パネル２１と透水フィルター１５との間の空隙６を確実に確保するように上下中間位置に単一乃至複数の中間突起２３を形成してアルミを押出成形した，同様に断面略コ字状乃至Ｃ字状にして背面に適宜の中間突起２３を備えた正面矩形乃至方形のものとしてある。
【００１６】
一方底パネル２４は，本例において上記正面パネル２１の下端に固定することによりエッジ材２を上記断面略Ｌ字状とするものとし，本例にあって先端に固定片２５を備えた単一種とし，上記正面パネル２１の下端への該底パネル２４の固定を上記固定片２５を介したネジ５によって共通になし得るようにしたものとしてあり，本例にあって該底パネル２４は，上記正面パネル２１と略等しい幅を持ち，奥行を１０乃至１５ｃｍ程度とした板状にして，先端に例えば略Ｌ字状に起立した固定片２５を，また奥行方向中間の上面に上記保水ベース１位置決め用ストッパー２６として低突出のリブをそれぞれ形成して，アルミを押出成形した略板状のものとしてあり，本例にあっては奥行方向後端に上記位置決め用ストッパー２６と対をなす後端リブ２７を形成したものとしてある。
【００１７】
正面パネル２１への底パネル２４の固定は，上記固定片２５を，各正面パネル２１下端の突起部２２先端に，例えば被嵌状に当接するように突き当て配置し，固定片２５側からのネジ５を突起部２５に螺入することによって正面パネル２１と底パネル２４を一体化するように行なったものとしてある。
【００１８】
このように底パネル２４を固定することによって断面略Ｌ字状をなすようにしたエッジ材２は，その正面パネル２１における背面上端の上記突起部２２の先端乃至その近傍に上記透水フィルター１５の先端をフィルター固定金具３を用いてスナップイン又はネジ５によって挟持固定自在としてあり，本例にあって該フィルター固定金具３は，上記厚肉成形材の正面パネル２１において上記ネジ５による挟持固定を行い，薄肉成形材の正面パネル２１において上記スナップインの挟持固定を行なうように，前者において透水フィルター１５を介して正面パネル２１の突起部２２に突き当て対接する対接部を有する側面略Ｌ字状，後者において透水フィルター１５とともに正面パネル２１の突起部２２にスナップイン被嵌する側面Ｕ字状乃至し字状のピース金具によるものとしてある。
【００１９】
エッジ材２の花壇Ａ外周縁部への設置は，本例にあって選択した正面パネル２１の背面上端の突起部２２に上記フィルター固定金具３を用いて保水ベース１から張出突設した透水フィルター１５の先端を挟持固定するとともに，保水ベース１を上記底パネル２４の位置決め用ストッパー２６と後端リブ２７間に嵌挿するように載置し，上記位置決め用ストッパー２６によって正面パネル２１との間に断熱用の空隙６を形成するとともに上記透水フィルター１５の張出突設部分が土壌７の擁壁をなすようにしてあり，該エッジ材２を花壇Ａの外周に沿って幅方向に連続的に設置して花壇Ａの縁石をなすようにその外周縁部を画し，該花壇Ａの外周縁部の区画をなすようにしてある。
【００２０】
このとき本例にあってエッジ材２の幅方向の連続的設置は，エッジ材２相互を，例えば連結部材４によって連結するようにしてあり，本例にあって該連結部材４は，手曲げ可能又はフレキシブルな材料による帯材の長手方向一端にネジ透孔４１を，他端に長手方向に沿ってネジ５をスライドする長孔４２を設置した正面パネル２１連結用のものとして，正面パネル２１の面一連結及び折曲連結の双方を自在としたものとしてある。
【００２１】
本例の連結部材４は，例えば薄肉の金属板，例えば鋼板を用いて手曲げ可能の帯材に上記ネジ透孔４１と長孔４２を透設した正面パネル２１の上下に対をなすように設置してこれらを連結する金属製の金具によるものとしてあり，ネジ透孔４１と長孔４２にそれぞれネジ５を挿通して連結部材４を正面パネル２１の，例えば上記突起部２２にネジ止め固定するとともにネジ透孔４１側の正面パネル２１を基準にして，長孔４側のネジ５をスライドし，その固定位置を変化させるようにすることによって，隣接する正面パネル２１を面一に連結し，また所定角度に折曲して連結し得るようにしてあり，上記長孔４２の長さを正面パネル２１の直角の折曲による連結を可能とする長さとすることによって，該連結部材４を正面パネル２１の正面乃至背面に配置するようにすれば，正面パネル２１の任意の角度の連結を自在とすることができる。
【００２２】
エッジ材２を設置することによって，保水ベース１上に土壌７，例えば人工土壌を入れるようにすれば，植物の植栽を可能として花壇Ａとして使用することができ，このとき保水ベース１の重量，即ちその上の土壌７の重量がエッジ材２の固定保持と正面パネル２１の起立保持を行い，本例にあっては更に上記連結部材４によるエッジ材２の連結，即ちその正面パネル２１の連結と相俟って，エッジ材２の長期に安定した定位置固定を行なうことが可能になるとともに，その設置作業と外周縁部の区画，ひいては花壇Ａの形成を簡易且つ確実に行なって，作業性を高度に確保したものとすることができる。
【００２３】
また本例のエッジ材２を用いることによって，正面パネル２１と透水フィルター１５間に断熱用の空隙６が形成されるから，直射日光を浴びる場所に形成された花壇Ａにおいて，そのエッジ材２の加熱によって土壌７の温度が上昇して，植栽した植物に悪影響を及ぼすのを可及的に防止することができ，特に本例のように屋上に形成する花壇Ａのエッジ材２として好ましいものとすることができる。
【００２４】
図７及び図８は，エッジ材２の他の例を示すもので，図７の例にあってエッジ材２における正面パネル２１は，これを上記と同様に金属系の薄肉成形材によるものとし，例えばアルミ押出材を用いて，上記と同様に断面略コ字状乃至Ｃ字状にして中間突起２３を備えたものとして，その剛性を確保するとともに下端の突起部２２に嵌合溝乃至嵌合突起，本例にあっては嵌合溝２８を設置する一方，底パネル２４の先端に，上記固定片２５に代えて嵌合突起乃至嵌合溝，本例にあっては嵌合突起２９を設置し，これら嵌合溝２８と嵌合突起２９の嵌合によって，正面パネル２１の正面側への転倒を防止するように，正面パネル２１に底パネル２４を連結してその固定を行なった例である。
【００２５】
また図８の例は，エッジ材２における正面パネル２１を，例えばセメント系，窯業系等の厚肉成形材間に中間材として，例えば発泡樹脂系のクッション材を介設した，例えば厚さを１０乃至１５ｃｍ程度とし表裏をフラット面とした厚肉ブロック材によるものとし，例えば該厚肉ブロック材の正面パネル２１を，塀ブロック，物置小屋形成用の壁面ブロック等の各種屋外構築物に使用するように形成したものと共用して，部材の共通化を図り，必要に応じて屋上設置の塀，物置小屋等と花壇Ａの外周縁部との外観デザインを統一し得るようにした例であり，本例においてはアルミ押出材による上記底パネル２４を共通に用い，その下端の側面略Ｌ字状の固定片の折り返し部分を切除することによってＩ字状の固定片２５とし，該固定片２５を正面パネル２１の背面に当接して，同様にネジを用いて正面パネル２１に底パネル２４の固定を行なうようにしたものとしてある。
【００２６】
図７及び図８のその余は上記例と変わらないので，同一符号を付してその説明を省略する。
【００２７】
図示した例は以上のとおりとしたが，上記張出突設した透水フィルターをエッジ材の正面パネル背面に当接するように，その先端を正面パネル上端又はその近傍に固定し且つ保水ベースの底パネルへの載置を行なうようにすること，正面パネルと底パネルを断面略Ｌ字状にして一体のものとし，また断面略Ｌ字状にして重合状に折畳み自在にヒンジ連結したものとすること，保水ベースの位置決め用ストッパーを底パネルに設置するとき，該ストッパーを後付けし，また該当部分に切起し形成すること，上記固定片を底パネル先端の起立片とすることによって，単一の底パネルを用いて上記厚肉成形材，厚肉ブロック材，薄肉成形材等に共通にネジ固定すること，上記連結部材を用いるとき，これをフレキシブルな樹脂製のものとすること等を含めて，保水ベース，その透水フィルター，土壌，花壇，エッジ材，その正面パネル，底パネル，必要に応じて形成する空隙，位置決めストッパー，正面パネルの突起部，フィルター固定金具，連結部材等の各具体的形状，構造，材質，寸法，数，これらの関係，これらに対する付加等は，上記発明の要旨に反しない限り様々の形態のものとすることができる。
【００２８】
【発明の効果】
本発明は以上のとおりに構成したから，請求項１に記載の発明は，保水ベースを用いて形成した花壇に縁石をなすように設置して，花壇の外周縁部を簡易且つ確実に区画するとともにその設置の作業を可及的に簡易になし得るようにした花壇外周縁部区画用エッジ材を提供し，また該エッジ材の幅方向の連結を花壇の外周形状に合わせて自在になし得るようにし，更に底パネルに設置した位置決め用ストッパーによって保水ベースを正面パネルから簡易且つ確実に離隔配置して直射日光を浴びる場所に形成された花壇において，そのエッジ材の加熱によって土壌温度が上昇して，植栽した植物に悪影響を及ぼすのを可及的に防止し得るようにした該エッジ材の連結部材を提供することができる。
【００２９】
請求項２に記載の発明は，同じく上記に加えて，上記透水フィルター先端の正面パネルへの固定を簡易且つ確実に行ない得るものとすることができる。
【００３０】
請求項３に記載の発明は，同じく上記に加えて，花壇形成現場への搬入をコンパクトになし得て，設置に際して上記断面略Ｌ字状のエッジ材を形成し得るものとすることができる。
【００３１】
請求項４に記載の発明は，同じく上記に加えて，上記花壇の化粧を行なう正面パネルを顧客の要望に応じて複数種から選択可能とし乍ら，底パネルを単一種として上記断面略Ｌ字状のエッジ材を共通に形成し得るものとすることができる。
【００３２】
請求項５に記載の発明は，花壇の外周縁部の直線，湾曲，屈曲等各種形状に応じてこれらエッジ材の幅方向の連結を自在になし得るようにした花壇外周縁部区画用エッジ材の連結部材を提供することができる。
【図面の簡単な説明】
【図１】  エッジ材の花壇への配置状態を示す平面図である。
【図２】  保水ベースの一部切欠き拡大図である。
【図３】  正面パネルを厚肉成形材としたエッジ材と保水ベースの関係を示す縦断面図である。
【図４】  正面パネルを薄肉成形材としたエッジ材と保水ベースとの関係を示す縦断面図である。
【図５】  連結部材による正面パネルの連結状態を示す部分拡大斜視図である。
【図６】  連結部材の正面図である。
【図７】  他の例のエッジ材における正面パネルと底パネルの関係を示す分解側面図である。
【図８】  他の例のエッジ材と保水ベースとの関係を示す縦断面図である。
【符号の説明】
Ａ  花壇
１  保水ベース
２  エッジ材
３  フィルター固定金具
４  連結部材
５  ネジ
６  空隙
７  土壌
１５  透水フィルター
２１  正面パネル
２２  突起部
２４  底パネル
２５  固定片
２６  位置決めストッパー
【図１】
0003984423.tif 000002
【図２】
0003984423.tif 000003
【図３】
0003984423.tif 000004
【図４】
0003984423.tif 000005
【図５】
0003984423.tif 000006
【図６】
0003984423.tif 000007
【図７】
0003984423.tif 000008
【図８】
0003984423.tif 000009